(57)【特許請求の範囲】
【請求項１】
中空筒状のグリップの一端に固定された固定板と、この固定板に打ち合わされて打撃音を発生させる揺動板とを備えた応援用具であって、
前記固定板は、下端部に水平方向に突出する係合突部を有し、
前記揺動板は、前記固定板の係合突部に係合する係合孔を有し、
前記係合孔は固定板に対する揺動板の揺動を許容する大きさに形成され、
前記グリップは、上端に揺動板の揺動範囲を規制する揺動範囲規制部が設けられていることを特徴とする応援用具。
【請求項２】
前記固定板は、下端部から下向きに延設されてグリップ内に挿入固定される脚体を有し、該脚体が、弾性を有する左右一対の脚部から構成され、各脚部の長さ方向中間部に外向きに突出する係止突部が突設される一方、前記グリップの側壁に前記係止突部が嵌入係止される係止孔が穿設されている請求項１に記載の応援用具。
【請求項３】
前記グリップは、側壁内面に、グリップの長さ方向に沿って固定板脚体案内用リブが突設されている請求項１又は請求項２のいずれかに記載の応援用具。
【請求項４】
前記固定板脚体案内用リブは、グリップ上端部にまで延設され、揺動板の下端部に当接する揺動板下端部受け部が設けられている請求項３に記載の応援用具。
【請求項５】
前記固定板の係合突部は、その先端とグリップ内壁又は固定板脚体案内用リブとの間隔が、揺動板の係合孔下縁の通り抜けを不可とする間隔に設定されている請求項３又は４のいずれかに記載の応援用具。
【請求項６】
前記固定板の表面と裏面の各々に対峙する一対の揺動板が設けられている請求項１ないし請求項５のいずれかに記載の応援用具。
【発明の詳細な説明】
【技術分野】
【０００１】
この発明は、応援用具、特に運動競技の応援時に、鳴子や拍子木のように打撃音を発生させることのできる応援用具に関する。
【背景技術】
【０００２】
従来、この種の応援用具に関しては、種々の提案がなされ、例えば、グリップに、中央部がくり抜き凹部となされた板状体と、この板状体を表裏両面から交互に叩き打つ揺動自在な一対のメガホン半体とが取り付けられたものや（特許文献１）、グリップと一体形成された固定拍子木片に、この固定拍子木片を叩き打つ可動拍子木片が取り付けられたもの（特許文献２）が公知である。
【特許文献１】実用新案登録第２６０４７３２号公報（図１）
【特許文献２】登録実用新案第３０８１４３４号公報（図１）
【発明の開示】
【発明が解決しようとする課題】
【０００３】
特許文献１の応援用具は、メガホンとしても用いることができる利点を有する反面、メガホン半体は、その下端部の弾性変形を利用して板状体に対する離間・接近動作が行われるようになされていることから、反復使用による疲労の結果、下端部が破損するおそれがある。
【０００４】
また、一対のメガホン半体の下端部と板状体の下端部とは、それらを束ねるようにした角筒状の締結具がグリップ内へ強制的に嵌め込まれることによりグリップに取り付けられたものであることから、反復使用により締結具がグリップから抜脱するおそれもあるし、そのような事態を回避するために締結具をグリップに対してより強固に嵌め込んでおくことが考えられるが、そうすると組み付け作業性が悪くなってしまうことになる。
【０００５】
一方、特許文献２の応援用具は、固定拍子木片に対して可動拍子木片の下端部左右両側に互いに反対方向に突出する軸部が、対応する固定拍子木片の一対の軸受け部に回動自在に取り付けられているので、反復使用により可動拍子木片が疲労することはないが、軸受け部に対する軸部のはめ込みがいささか面倒である。
【０００６】
また、一対の軸受け部の間隔が不本意にも拡がった場合には、可動拍子木片が固定拍子木片から離脱するおそれもある。
【課題を解決するための手段】
【０００７】
この発明は、かかる技術的背景に鑑みてなされたもので、反復使用によっても固定板に打ち合わされる部材の疲労による損傷や、グリップからの離脱のおそれもなく、グリップに対する組み付け作業性の良い応援用具を提供することを目的とする。
【０００８】
而して、この発明の応援用具は、下記［１］〜［５］の構成を有する。
【０００９】
［１］  中空筒状のグリップの一端に固定される固定板と、この固定板に打ち合わされて打撃音を発生させる揺動板とを備えた応援用具であって、
前記固定板は、下端部に水平方向に突出する係合突部を有し、
前記揺動板は、前記固定板の係合突部に係合する係合孔を有し、
前記係合孔は固定板に対する揺動板の揺動を許容する大きさに形成され、
前記グリップは、上端に揺動板の揺動範囲を規制する揺動範囲規制部が設けられていることを特徴とする応援用具。
【００１０】
［２］  前記固定板は、下端部から下向きに延設されてグリップ内に挿入固定される脚体を有し、該脚体が、弾性を有する左右一対の脚部から構成され、各脚部の長さ方向中間部に外向きに突出する係止突部が突設される一方、前記グリップの側壁に前記係止突部が嵌入係止される係止孔が穿設されている請求項１に記載の応援用具。
【００１１】
［３］  前記グリップは、側壁内面に、グリップの長さ方向に沿って固定板脚部案内用リブが突設されている請求項１又は請求項２のいずれかに記載の応援用具。
【００１２】
［４］  前記固定板脚体案内用リブは、グリップ上端部にまで延設され、揺動板の下端部に当接する揺動板下端部受け部が設けられている請求項３に記載の応援用具。
【００１３】
［５］  前記固定板の係合突部は、その先端とグリップ内壁又は固定板脚部案内用リブとの間隔が、揺動板の係合孔下縁の通り抜けを不可とする間隔に設定されている請求項１、３又は４のいずれかに記載の応援用具。
【００１４】
［６］  前記固定板の表面と裏面の各々に対峙する一対の揺動板が設けられている請求項１ないし請求項５のいずれかに記載の応援用具。
【発明の効果】
【００１５】
［１］の発明にかかる応援用具では、固定板と揺動板とが、係合突部と、固定板に対する揺動板の揺動を許容する大きさに形成された係合孔との係合により連結されているので、揺動板の弾性変形による変形、疲労が無く、耐久性に優れている。
【００１６】
また、グリップに対する固定板の固定は、固定板脚部がグリップに挿入されることにより行われるので、組み付け作業性が良好である。
【００１７】
［２］の発明にかかる応援用具では、固定板脚体の弾性を有する左右一対の脚部の長さ方向中間部に外向きに突出する係止突部が突設される一方、グリップの側壁に前記係止突部が嵌入係止される係止孔が穿設されているので、グリップに対する弾性変形を利用した確実な固定が行われ、その操作性も良好である。
【００１８】
［３］の発明にかかる応援用具では、グリップ側壁内面に、グリップの長さ方向に沿って固定板脚体案内用リブが突設されているので、固定板脚体の係止突部のグリップの係止孔に対する嵌入係止がスムーズに行われる。
【００１９】
［４］の発明にかかる応援用具では、固定板脚体案内用リブは、グリップ上端部にまで延設され、揺動板を下方から支持するものと設定されているので、揺動板の揺動がより一層スムーズに行われる。
【００２０】
［５］の発明にかかる応援用具では、固定板の係合突部の先端とグリップ内壁又は固定板体部案内用リブとの間隔が、揺動板の係合孔下縁の通り抜けを不可とする間隔に設定されているので、固定板と揺動板との係合が不本意に解除されることがなく、両者の連結状態が確実に保持される。
【００２１】
［６］の発明にかかる応援用具では、固定板の表面と裏面の各々に対峙する一対の揺動板が設けられているので、より一層賑やかな打撃音を発生させることができる。
【発明を実施するための最良の形態】
【００２２】
以下、この発明に係る応援用具の実施形態を、図面を参照して具体的に説明する。図１は、全体斜視図、図２は、分解状態斜視図、図３は揺動板の動作を示す側面図、図４は、要部縦断面図、図５（イ）〜（ハ）は、固定板脚体のグリップへの挿入・固定状態を示す縦断面図、図６は、図５（イ）のＶ−Ｖ線断面図である。
【００２３】
この実施形態の応援用具（Ａ）は、図１及び図２に示すように、中空の筒状グリップ（  １）に固定板（１０）の脚体（１１）が固定されることにより、グリップ（１）の一端に、固定板（１０）が固定されると共に、固定板（１０）の前後に、固定板（１０）に打ち合わされて打撃音を発生させる揺動板（２０）（２０）が組み付けられているものである。
【００２４】
中空の筒状グリップ（１）は、図４〜図６に示すように、略々断面長方形の角筒状に形成されており、長辺に相当する一対の側壁（１ａ）（１ｂ）内面の各々に、上下方向に沿った一対の固定板脚体案内用リブ（３）（４）が突設されている。一つの固定板脚体案内用リブ（３）と、該リブ（３）に対向する側壁に設けられた固定板脚体案内用リブ（４）との間隔は、固定板脚体（１１）がスムーズに挿入される間隔に設定されている。
【００２５】
この固定板脚体案内用リブ（３）（４）の上端部は、図４に示すように、側面視Ｌ型に形成され、略々水平の揺動板下端部受け部（３ａ）（４ａ）が設けられている。該揺動板下端部受け部（３ａ）（４ａ）に、後述する揺動板（２０）下端の棒状部（２２）が当接した状態で、揺動板（２０）が固定板（１０）に向かってあるいは離反するように揺動する。
【００２６】
また、グリップ（１）短片側の側壁（１ｃ）（１ｄ）の高さ方向中間部には、後述する固定板脚体（１１）の係止突部（１３）（１３）が嵌入係止される係止孔（２）（２）が設けられている。
【００２７】
グリップ（１）の上端部は、前記長辺に相当する側壁（１ａ）（１ａ）と短片に相当する側壁（１ｂ）（１ｂ）との高さが異なり、グリップ（１）短片側の側壁（１ｃ）（１ｄ）は、上端部が抉られたように長辺側の側壁上端部より低く形成されており、固定板（１０）と揺動板（２０）との組み付け時に、それらがグリップ（１）上端部からはみ出して短片側の側壁（１ｃ）（１ｄ）上方に位置するものとなされている。
【００２８】
前記長辺側の側壁（１ａ）（１ｂ）上端は、図３に示すように、揺動板（２０）の外面下端部に当接する高さに設定され、揺動板（２０）の揺動範囲を規制する揺動規制部（６）となっている。
【００２９】
固定板（１０）は、若干の弾性を有する合成樹脂から作製され、所定の形状に形成されると共に、その下縁からにグリップ（１）内に挿入される下方に延びた脚体（１１）が延設されている。
【００３０】
固定板（１０）は、その表裏両面の周縁に前後方向に突出する縁枠（１０ａ）が設けられ、下端部には、図２及び図４に示すように、水平方向に突出する横長板状係合突部（１３）（１３）が突設されている。
【００３１】
該係合突片（１３）は、その先端が、後述する揺動板（２０）の係合孔（２１）が係合して揺動板（２０）が固定板（１０）に組み付けられた状態の下で、グリップ（１）の固定板脚体案内用リブ（３）（４）の上端部に近接して、揺動板（２０）の固定板（１０）からの抜脱を防止するものとなされている。
【００３２】
固定板（１０）の下縁から延設された脚体（１１）は、図２及び図５に示すように、互いに間隔を置いた左右両脚部（１１ａ）（１１ｂ）がそれらの下端部において連結部（１１ｃ）を介して一体的に連設されており、左右両脚部（１１ａ）（１１ｂ）の各々の高さ方向中間部には、グリップ（１）の前記係止孔（２）（２）に嵌入係止される係止突部（１３）（１３）が外向きに突設されている。
【００３３】
前記係止突部（１３）は、図５に示すように、上面は平に形成される一方、下部が前傾状に形成されて、係止孔（２）に嵌りやすく抜け難い形状に形成されている。
【００３４】
前記揺動板（２０）は、固定板（１０）と略々同様の輪郭形状を有し、固定板（１０）に臨む面の上端部中央に叩打用突部（２４）が突設されている。この叩打用突部（２４）は、揺動板（２０）の上端が固定板（１０）に凭れかかるのを防止し、揺動板（２０）を固定板（１０）から離反するような傾斜状態にあるものとしている。
【００３５】
この揺動板（２０）の下端部には、固定板（１０）の係合突部（１３）が嵌め込まれて互いに係合しあう係合孔（２１）が設けられている。この係合孔（２１）は、揺動板（２０）の下端部に前記係合突部（１３）が余裕を持って嵌り込む門形状の切り込みが形成され、その下端開放部に断面円形の棒状部（２２）が渡しかけられてなるもので、この棒状部（２２）が係合孔（２１）の下縁部を構成している。
【００３６】
この棒状部（２２）が存在することにより、固定板（１０）に係合した揺動板（２０）が上方に引き上げられても係合が解除されることがない。また、断面が円形であるので、揺動板下端部受け部（３ａ）（４ａ）に対して線接触し、揺動板（２０）の揺動をスムーズなものとしている。
【００３７】
上記構成を有する応援用具（Ａ）は、図２に示すような分解状態から、図１に示すような完成状態に組み立てられるもので、その組立手順を以下に説明する。
【００３８】
先ず、固定板（１０）の表裏両面に、揺動板（２０）（２０）を、その係合孔（２１）（２１）に固定板（１０）の係合突部（１３）を相対的に嵌め込むようにして重ね合わせる。
【００３９】
次に、その重ね合わせ状態のまま、固定板（１０）の脚体（１１）を、図５（イ）に示すように、グリップ（１）の内部に挿入させて行くと、脚体（１１）は、図６に示すように、４条の脚体案内用リブ（３）（３）（４）（４）の間を下降していくことになる。
【００４０】
その下降途上では、図５（ロ）に示すように、左右一対の脚部（１１ａ）（１１ｃ）は、弾性変形しながら係止突部（１３）（１３）の先端がグリップ側壁内面を摺動し、係止孔（５）（５）の近くに接近する。
【００４１】
そして、係止突部（１３）（１３）が係止孔（５）（５）に臨むと、脚部（１１ａ）（１１ｃ）の弾性作用により係止用突部（１３）（１３）は、係止用孔（５）（５）内に圧入され、係止される。この係止状態においては、両方の係止突部（１３）（１３）を同時にグリップ内方へ押し込むような外力が加わらない限り、脚体（１１）部ひいては固定板（１０）が、グリップ（１）から抜脱することがない。
【００４２】
一方、この固定状態において、図４に示すように、固定板（１０）と揺動板（２０）との所期する連結状態も完了し、揺動板（２０）が揺動自在であると共に、不本意にも離脱するおそれのない状態が実現されている。
【００４３】
この状態において、グリップ（１）を握って、固定板（１０）を板面の前後方向に振ると、揺動板（２０）（２０）が揺動し、固定板（１０）に打ち合わされて打撃音が発生する。
【００４４】
この実施形態の揺動板（２０）には、固定板（１０）との対応面に固定板叩打用突部（２４）が突設されているので、単に板面どうしの打ち合わせによる打撃音とは異なった軽快な打撃音が発生する。
【００４５】
揺動板（２０）は、下端の断面円形の棒状体（２２）が揺動板下端部受け部（３ａ）（４ａ）（３ａ）（４ａ）上を摺動するようにして揺動するので、抵抗のないスムーズな揺動が実現される。
【００４６】
また、グリップ（１）の長辺側の側壁上端部が揺動規制部（６）となされているので、固定板（１０）に対する離反方向への揺動は規制され、小さな振り幅で効果的な打撃音が発生される。
【００４７】
なお、この実施形態の応援用具は、二枚の揺動板が固定板の表裏両面に打ち合わされるようになされているが、揺動板は、一枚だけでも良い。
【００４８】
また、固定板の係合突部、揺動板の係合孔の形状は、この実施形態の形状に限定されるものではなく、例えば、係合突部が断面円形の棒状ないし筒状であって、係合孔が前記係合突部の形状に対応しそれらより大きな円形であってもかまわない。
【図面の簡単な説明】
【００４９】
【図１】この発明にかかる応援用具の一実施形態を示す全体斜視図である。
【図２】同分解状態の斜視図である。
【図３】同揺動板の動作を示す側面図である。
【図４】同要部縦断面図である。
【図５】固定体脚体のグリップへの挿入・固定状態を示す縦面図である。
【図６】図５（イ）のＶ−Ｖ線断面図である。固定同使用状態の一部省略斜視図である。
【符号の説明】
【００５０】
Ａ・・・・・・・応援用具
１・・・・・・・グリップ
２・・・・・・・係止孔
３、４・・・・・固定板脚体案内用リブ
１０・・・・・・・固定板
１１・・・・・・・脚体
１１ａ・・・・・・左脚部
１１ｂ・・・・・・右脚部
１２・・・・・・・係合突部
１３・・・・・・・係止突部
２０・・・・・・・揺動板
２１・・・・・・・係合孔
【図１】
0004988513.tif 000002
【図２】
0004988513.tif 000003
【図３】
0004988513.tif 000004
【図４】
0004988513.tif 000005
【図５】
0004988513.tif 000006
【図６】
0004988513.tif 000007